(57)【要約】  【課題】冷して食する食物を収納したまま、温めて食する食物を適切に加熱できる加熱機能付冷却装置を提供する。  【解決手段】加熱機能付冷却装置21は、食物を収納する収納部23aと、収納部23a内に冷気を供給して収納部23a内の温めて食する食物および冷して食する食物を低温状態に維持する冷却手段31とを備える。加熱機能付冷却装置21は、収納部23a内の冷して食する食物を温熱状態にすることなく収納部23a内の温めて食する食物を加熱する加熱手段46を備える。【選択図】図１
2005207676.tif 000002
【特許請求の範囲】
【請求項１】
温めて食する食物および冷して食する食物が出し入れ可能に収納される複数の収納部と、
この収納部内に冷気を供給して前記収納部内の温めて食する食物および冷して食する食物を低温状態に維持する冷却手段と、
前記収納部内の冷して食する食物を温熱状態にすることなく前記収納部内の温めて食する食物を選択的に加熱する加熱手段と
を備えることを特徴とする加熱機能付冷却装置。
【請求項２】
加熱手段による加熱終了後、予め設定された設定時間の間、収納部内から食物を取り出し可能とする
ことを特徴とする請求項１記載の加熱機能付冷却装置。
【請求項３】
温めて食する食物および冷して食する食物を含む第１食が出し入れ可能に収納される第１収納部と、
温めて食する食物および冷して食する食物を含む第２食が出し入れ可能に収納される第２収納部と、
前記第１収納部内および前記第２収納部内に冷気を供給して前記第１収納部内の第１食および前記第２収納部内の第２食を低温状態に維持する冷却手段と、
第１加熱時には前記第２収納部内の第２食および前記第１収納部内の冷して食する食物を温熱状態にすることなく前記第１収納部内の温めて食する食物を加熱し、第２加熱時には前記第２収納部内の冷して食する食物を温熱状態にすることなく前記第２収納部内の温めて食する食物を加熱する加熱手段と
を備えることを特徴とする加熱機能付冷却装置。
【請求項４】
温めて食する食物が加熱された第１食または第２食は、加熱手段による加熱終了後、予め設定された設定時間の間、第１収納部または第２収納部から取り出し可能とする
ことを特徴とする請求項３記載の加熱機能付冷却装置。
【発明の詳細な説明】
【技術分野】
【０００１】
本発明は、食物を加熱および冷却できる加熱機能付冷却装置に関するものである。
【背景技術】
【０００２】
従来、例えばマグネトロンによりマイクロ波を発生して庫内を加熱する加熱部と、庫内に連通する冷気送入口および冷気戻し口を介して庫内を冷気冷却する冷蔵機構部とを備えた冷蔵機能付電子レンジが知られている（例えば、特許文献１参照）。
【特許文献１】特開平２−７１０１８号公報
【発明の開示】
【発明が解決しようとする課題】
【０００３】
しかしながら、上記従来の冷蔵機能付電子レンジでは、例えば所望の低温状態で保存していた配達弁当（昼食或いは夜食等）中の、温めて食する食物（例えば米飯および主菜）のみを加熱しようとした場合、冷して食する食物（例えば冷菜およびデザート）をわざわざ庫外に取り出さなければならないという問題がある。
【０００４】
本発明は、このような点に鑑みなされたもので、冷して食する食物を収納したまま、温めて食する食物を適切に加熱できる加熱機能付冷却装置を提供することを目的とする。
【課題を解決するための手段】
【０００５】
請求項１記載の加熱機能付冷却装置は、温めて食する食物および冷して食する食物が出し入れ可能に収納される複数の収納部と、この収納部内に冷気を供給して前記収納部内の温めて食する食物および冷して食する食物を低温状態に維持する冷却手段と、前記収納部内の冷して食する食物を温熱状態にすることなく前記収納部内の温めて食する食物を選択的に加熱する加熱手段とを備えるものである。
【０００６】
そして、加熱手段が収納部内の冷して食する食物を温熱状態にすることなく収納部内の温めて食する食物を選択的に加熱するため、冷して食する食物を収納したまま、温めて食する食物を適切に加熱することが可能である。
【０００７】
請求項２記載の加熱機能付冷却装置は、請求項１記載の加熱機能付冷却装置において、加熱手段による加熱終了後、予め設定された設定時間の間、収納部内から食物を取り出し可能とするものである。
【０００８】
そして、予め設定された設定時間の経過後に、収納部から食物を取り出して食べてしまうことを防止することが可能である。
【０００９】
請求項３記載の加熱機能付冷却装置は、温めて食する食物および冷して食する食物を含む第１食が出し入れ可能に収納される第１収納部と、温めて食する食物および冷して食する食物を含む第２食が出し入れ可能に収納される第２収納部と、前記第１収納部内および前記第２収納部内に冷気を供給して前記第１収納部内の第１食および前記第２収納部内の第２食を低温状態に維持する冷却手段と、第１加熱時には前記第２収納部内の第２食および前記第１収納部内の冷して食する食物を温熱状態にすることなく前記第１収納部内の温めて食する食物を加熱し、第２加熱時には前記第２収納部内の冷して食する食物を温熱状態にすることなく前記第２収納部内の温めて食する食物を加熱する加熱手段とを備えるものである。
【００１０】
そして、第１加熱時および第２加熱時において、冷して食する食物を収納したまま、温めて食する食物を適切に加熱することが可能である。
【００１１】
請求項４記載の加熱機能付冷却装置は、請求項３記載の加熱機能付冷却装置において、温めて食する食物が加熱された第１食または第２食は、加熱手段による加熱終了後、予め設定された設定時間の間、第１収納部または第２収納部から取り出し可能とするものである。
【００１２】
そして、予め設定された設定時間の経過後に、第１収納部または第２収納部から食物を取り出して食べてしまうことを防止することが可能である。
【発明の効果】
【００１３】
請求項１記載の加熱機能付冷却装置によれば、加熱手段が収納部内の冷して食する食物を温熱状態にすることなく収納部内の温めて食する食物を選択的に加熱するため、冷して食する食物を収納したまま、温めて食する食物を適切に加熱できる。
【００１４】
請求項２記載の加熱機能付冷却装置によれば、予め設定された設定時間の経過後に、収納部から食物を取り出して食べてしまうことを防止できる。
【００１５】
請求項３記載の加熱機能付冷却装置によれば、第１加熱時およ第２加熱時において、冷して食する食物を収納したまま、温めて食する食物を適切に加熱できる。
【００１６】
請求項４記載の加熱機能付冷却装置によれば、予め設定された設定時間の経過後に、第１収納部または第２収納部から食物を取り出して食べてしまうことを防止できる。
【発明を実施するための最良の形態】
【００１７】
本発明の加熱機能付冷却装置の一実施の形態を図面を参照して説明する。
【００１８】
図３は弁当提供システムを示す概念図であり、給食施設等の提供元１では、各家庭等の提供先２からの注文に応じてクックチル調理等が行われ、温めて食する食物（米飯、魚料理・肉料理等）および冷して食する食物（サラダ、デザート等）が冷却機３内でチルド保存される。
【００１９】
そして、温めて食する食物は第１容器６内に入れられ、冷して食する食物は第２容器７内に入れられる。すなわち例えば、２種類の第１容器６中の一方の第１容器６には主食である米飯が入れられ、他方の第１容器６には魚料理・肉料理等の主菜が入れられる。また、２種類の第２容器７中の一方の第２容器７にはサラダ等の冷菜が入れられ、他方の第２容器７には果物等のデザートが入れられる。
【００２０】
また、提供元１では、米飯を入れた第１容器６、主菜を入れた第１容器６、冷菜を入れた第２容器７およびデザートを入れた第２容器７が１つのトレイ８上に載置されるとともにそれら４つの容器６，７に対してまとめて蓋９が被せられ、１つの昼食用のトレイセット11と１つの夜食用のトレイセット12とが一人分の２食セット13として注文人数分だけ作られる。なお、注文人数分の２食セット13は、その状態のまま配送時までチルド保存される。
【００２１】
そして、配送時には、温めて食する食物および冷して食する食物からなる昼食を入れた昼食用のトレイセット11および温めて食する食物および冷して食する食物からなる夜食を入れた夜食用のトレイセット12はカート15内に収納され、そのカート15が、冷却機能付の配送手段である配送車16の冷却室16a内に収納されて提供先２まで配送される。
【００２２】
すなわち、配送車16は、カート15内の各トレイセット11，12をこの各トレイセット11，12の第１容器６内の食物および第２容器７内の食物を低温状態、例えばチルド保存状態に維持したまま提供元１から提供先２まで配送する。
【００２３】
一方、提供先２では、食物が入った２食セット（昼食用のトレイセット11および夜食用のトレイセット12）13が出し入れ可能に収納され、保管時には収納された２食セット13の第１容器６内の食物および第２容器７内の食物を低温状態、例えばチルド保存状態に保管し、昼食加熱時には夜食用のトレイセット12の第１容器６・第２容器７内の食物および昼食用のトレイセット11の第２容器７内の食物を低温状態、例えばチルド保存状態に維持しつつ昼食用のトレイセット11の第１容器６内の食物のみを加熱し、夜食加熱時には夜食用のトレイセット12の第２容器７内の食物を低温状態、例えばチルド保存状態に維持しつつ夜食用のトレイセット12の第１容器６内の食物のみを加熱する加熱機能付冷却装置（例えば再加熱機能付チルド庫等）21が設置されている。
【００２４】
なお、空となった２食セット13は、例えば次の日の朝、その日の分の弁当の入った２食セット13を運んできた配送車16にて回収され、提供元１に戻される。そして、汚れた第１容器６、第２容器７、トレイ８および蓋９は、次回に備えて洗浄保管される。
【００２５】
ここで、加熱機能付冷却装置21は、図１および図２に示すように、冷却装置本体22を備え、この冷却装置本体22は、複数の収納部、すなわち例えば温めて食する食物および冷して食する食物を含む第１食である昼食（昼食用のトレイセット11）が出し入れ可能に収納される第１収納部である昼食収納部23aと、温めて食する食物および冷して食する食物を含む第２食である夜食（夜食用のトレイセット12）が出し入れ可能に収納される第２収納部である夜食収納部23bとを有している。
【００２６】
そして、昼食収納部23aおよび夜食収納部23bは互いに独立した状態で上下方向に並んで位置し、各収納部23a，23bはいずれも上面部24、下面部25、右面部26、左面部27および後面部28にて区画形成され、その前面開口29が扉体30にて開閉可能となっている。
【００２７】
また、冷却装置本体22には、昼食収納部23a内および夜食収納部23b内に冷気を供給して昼食収納部23a内の昼食および夜食収納部23b内の夜食を低温状態、例えばチルド保存状態に維持する冷却手段31が設けられている。冷却手段31は、圧縮機、凝縮器、膨張弁、蒸発器およびファン等にて構成され、この冷却手段31の作動により２つの収納部23a，23b内の食物は常時低温状態、例えばチルド保存状態に保たれる。
【００２８】
また一方、収納部23a，23bの底部分に面した各下面部25には、通電により発熱する抵抗発熱式の再加熱用ヒータである米飯再加熱用ヒータ41が前側に設けられ、通電により発熱する抵抗発熱式の再加熱用ヒータである主菜再加熱用ヒータ（図示せず）が後側に設けられている。米飯再加熱用ヒータ41および主菜再加熱用ヒータは、収納部23a，23bの底部分にこの底部分に面して位置する平面状の加熱面部43を有している。また、米飯再加熱用ヒータ41および主菜再加熱用ヒータには制御手段45が電気的に接続され、この制御手段45にて各ヒータが制御される。
【００２９】
そして、米飯再加熱用ヒータ41、主菜再加熱用ヒータおよび制御手段45にて加熱手段46が構成され、この加熱手段46は、第１加熱時である昼食加熱時には夜食収納部23b内の夜食および昼食収納部23a内の冷して食する食物を温熱状態にすることなく低温状態、例えばチルド保存状態にしたまま昼食収納部23a内の温めて食する食物のみを加熱し、第１加熱時とは異なる第２加熱時である夜食加熱時には夜食収納部23b内の冷して食する食物を温熱状態にすることなく低温状態、例えばチルド保存状態にしたまま夜食収納部23b内の温めて食する食物のみを加熱する。
【００３０】
すなわち例えば、予め設定された昼食再加熱時間になると、制御手段45の制御により米飯再加熱用ヒータ41および主菜再加熱用ヒータが作動し、昼食用のトレイセット11の第１容器６内の米飯および主菜のみが加熱される。また、予め設定された夜食再加熱時間になると、制御手段45の制御により米飯再加熱用ヒータ41および主菜再加熱用ヒータが作動し、夜食用のトレイセット12の第１容器６内の米飯および主菜のみが加熱される。
【００３１】
さらに、加熱機能付冷却装置21は、加熱手段46による加熱終了後、予め設定された設定時間（例えば１時間）が経過した場合に、収納部内23a，23bから食物（昼食、夜食）が取り出せなくなる構成となっている。すなわち、加熱機能付冷却装置21は、昼食収納部23a内に収納されている昼食および夜食収納部23b内に収納されている夜食はそれぞれ食する時以外の取り出しができないように制御されており、温めて食する食物が加熱された昼食（第１食）または夜食（第２食）は、加熱手段46による加熱終了後、予め設定された設定時間の間、それぞれ対応する昼食収納部23aまたは夜食収納部23bから取り出すことのできる構成となっている。
【００３２】
例えば冷却装置本体22には、昼食収納部23aの前面開口29を開閉する扉体30を閉位置にロックする施錠等のロック手段50aが設けられているとともに夜食収納部23bの前面開口29を開閉する扉体30を閉位置にロックする施錠等のロック手段50bが設けられている。
【００３３】
そして、昼食時に昼食収納部23a側のロック手段50aがタイマ機能により設定時間を検知すると、そのロック手段50aによるロックが解除され、このロック解除により昼食収納部23a内の昼食用のトレイセット11を設定された時間内のみ取り出すことができる。また、夜食時に夜食収納部23b側のロック手段50bがタイマ機能により設定時間を検知すると、そのロック手段50bによるロックが解除され、このロック解除により夜食収納部23b内の夜食用のトレイセット12を設定された時間内のみ取り出すことができる。
【００３４】
次に、上記弁当提供システム（食事提供システム）を使用して各家庭に弁当（配達弁当）を提供するサービスの流れについて説明する。
【００３５】
温めて食する食物および冷して食する食物からなる昼食、夜食が盛り付けられたトレイセット11，12は、カート15内に収納された状態で、配送車16により提供先２まで配送される。このとき、配送車16の冷却室16a内に位置するトレイセット11，12の第１容器（米飯用容器および主菜用容器）６内の食物および第２容器（冷菜用容器およびデザート用容器）７内の食物は、いずれもチルド保存状態に維持したまま、提供先２まで配送される。
【００３６】
提供先２に到達すると、昼食用のトレイセット11および夜食用のトレイセット12は、それぞれ加熱機能付冷却装置21の昼食収納部23a内および夜食収納部23b内に収納される。すなわち、昼食用のトレイセット11は昼食収納部23a内に収容され、そのトレイセット11内の食物である昼食がチルド保存され、かつ、夜食用のトレイセット12は夜食収納部23b内に収容され、そのトレイセット12内の食物である夜食もチルド保存される。
【００３７】
そして、予め設定された昼食再加熱時間になると、昼食収納部23a側の米飯再加熱用ヒータ41の加熱面部43が発熱して昼食用のトレイセット11内の米飯が加熱されるとともに、昼食収納部23a側の主菜再加熱用ヒータの加熱面部が発熱して昼食用のトレイセット11内の主菜が加熱される。
【００３８】
なお、このヒータ発熱時においても冷却手段31は作動しており、冷菜用容器７内の冷菜およびデザート用容器７内のデザートは、チルド保存状態に維持され、また夜食用のトレイセット12内の食物もチルド保存状態に維持される。
【００３９】
したがって、各家庭における加熱機能付冷却装置21の使用者（例えば在宅老人等の健常者）は、ヒータ41による再加熱完了後、昼食用のトレイセット12を昼食収納部23a内から取り出し、温かい米飯および主菜を食することができるとともに冷たい冷菜およびデザートを食することができる。
【００４０】
また、予め設定された夜食再加熱時間になると、昼食の場合と同様に、ヒータ41の加熱面部43が発熱して夜食用のトレイセット12内の米飯および主菜のみが加熱されるため、使用者は、ヒータ41による再加熱完了後、夜食用のトレイセット12を夜食収納部23b内から取り出し、温かい米飯および主菜を食することができるとともに冷たい冷菜およびデザートを食することができる。
【００４１】
なお、空のトレイセット11，12は、例えば次の日の朝、その日の分のトレイセット11，12を運んできた配送車16にて回収されて提供元１に戻され、提供元１で洗浄保管される。
【００４２】
そして、上記加熱機能付冷却装置21によれば、加熱手段46が収納部23a，23b内の冷して食する食物を温熱状態にすることなくチルド保存状態にしたまま収納部23a，23b内の温めて食する食物を選択的に加熱するため、冷して食する食物を収納した状態で冷して食する食物を温熱状態にすることなく、温めて食する食物のみを適切に加熱できる。よって、各家庭における在宅老人等は、温かい食物を所望の温熱状態で食べることができかつ冷たい食物を所望の低温状態で食べることができ、おいしい昼食、夜食を食することができる。
【００４３】
また、ロック手段50a，50bの作動により昼食時には昼食収納部23aの扉体30、また夜食時には夜食収納部23bの扉体30が、それぞれ一定時間の間のみロック解除されるため、予め設定された設定時間以外に収納部23a，23bから食物を取り出して食べてしまうことを防止できる。
【００４４】
さらに、加熱機能付冷却装置21は、複数回分の食物、例えば昼食および夜食をまとめて収納できるため、配送車による配送回数を少なくすることができる。
【００４５】
なお、昼食或いは夜食の部分加熱を行う加熱手段46は、米飯再加熱用ヒータ41等を有するヒータ式のものには限定されず、例えば収納部内にマイクロ波を供給して加熱する電子レンジ式のものでもよく、或いは誘導加熱式のもの等でもよい。
【００４６】
また、加熱手段46は、冷して食する食物をチルド保存状態にしたまま温めて食する食物を加熱するものには限定されず、例えば冷して食する食物を冷蔵保存状態或いは冷凍保存状態にしたまま温めて食する食物を加熱するもの等でもよい。また加熱手段46は、冷して食する食物が常温程度に加熱されるようなものでもよい。
【００４７】
さらに、扉体30をロックするロック手段50a，50bによって収納部23a，23b内から食物が取り出せなくなる構成には限定されず、例えばトレイ８と係合してトレイ８の前方移動を規制するフック等の係合手段によって収納部23a，23b内から食物が取り出せなくなる構成等でもよい。
【００４８】
また、加熱手段46は、予め設定された加熱時間になると所望の食物が自動加熱される構成には限定されず、例えば操作部をオン操作すると所望の食物が加熱されるような構成等でもよい。
【００４９】
さらに、上下２つの収納部23a，23bを有する構成には限定されず、例えば１つの収納部のみを有する構成、或いは３つ以上の収納部を有する構成等でもよい。
【図面の簡単な説明】
【００５０】
【図１】本発明の加熱機能付冷却装置の一実施の形態を示す一部省略正面図である。
【図２】同上加熱機能付冷却装置の正面図である。
【図３】同上加熱機能付冷却装置を備えた弁当提供システムの概念図である。
【符号の説明】
【００５１】
21    加熱機能付冷却装置
23a    収納部としての第１収納部である昼食収納部
23b    収納部としての第２収納部である夜食収納部
31    冷却手段
46    加熱手段
【図１】
2005207676.tif 000003
【図２】
2005207676.tif 000004
【図３】
2005207676.tif 000005